(57)【要約】【課題】  集塵貯水槽を導風部から引き出して作業のしやすい場所に移して、集塵貯水槽内の排水と堆積している塵埃を取り除く作業を容易に行うことができる穀物調製機用集塵装置を提供する。【解決手段】  穀物調製機用集塵装置１は、上段に設けた導風部２と、その下段に設けた集塵貯水槽３とで構成される。集塵貯水槽３は、上段の導風部２に対して挿入装着し、かつ引き出し移動自在の可動構造である。集塵貯水槽３は、底部に台車７を、かつ一端側に手押しハンドル１４を備えた手押し移動構造である。集塵貯水槽３内に備える水中ポンプ１５を手押しハンドル１４側に寄せて搭載してある。水中ポンプ１５と導風部２側の水噴射ノズルとを接続する中継ホース１６の接続口１７および集塵貯水槽３に接続する給水ホース１９の接続口２０を手押しハンドル１４側に設けてある。【選択図】図１
2007057125.tif 000002
【特許請求の範囲】
【請求項１】
穀物調製機の排風口または排塵機の排塵口に接続して、排出される排風中の塵埃を分離して収集する集塵装置であって、
上段に設けた導風部と、その下段に設けた集塵貯水槽とで構成され、上段の導風部は、穀物調製機から排風を導入して集塵貯水槽へ向けて流動させる風路をなしていて、その風路の途中には下段に配置した集塵貯水槽から汲み上げた水により集塵貯水槽との間を遮断する水膜形成構造を備えており、
集塵貯水槽は、上段の導風部に対して挿入装着し、かつ引き出し移動自在の可動構造である
ことを特徴とする穀物調製機用集塵装置。
【請求項２】
集塵貯水槽は、その底部に台車を、かつ一端側に手押しハンドルを備えた手押し移動構造をなしており、集塵貯水槽内に備える水中ポンプを手押しハンドル側に寄せて搭載し、その水中ポンプと水膜形成構造の水噴射ノズルとを接続する中継ホースの接続口および集塵貯水槽に接続する給水ホースの接続口を手押しハンドル側に設けてあることを特徴とする請求項１記載の穀物調製機用集塵装置。
【請求項３】
集塵貯水槽は、手押しハンドル側を起点として先端側を高く傾ける傾斜操作構造を備えており、集塵貯水槽からの排水時に残水を水中ポンプ側に集中させることができることを特徴とする請求項１または請求項２記載の穀物調製機用集塵装置。
【請求項４】
傾斜操作構造は、集塵貯水槽の手押しハンドル側に備えたペダルを踏むと集塵貯水槽の先端側が押し上げられるように構成されていることを特徴とする請求項３記載の穀物調製機用集塵装置。
【発明の詳細な説明】
【技術分野】
【０００１】
本発明は、穀物乾燥機などの穀物調製機と併用して、その排風口または排塵機の排塵口から排出される排風中の塵埃を分離して収集する穀物調製機用集塵装置に関するものである。
【背景技術】
【０００２】
穀物を通風乾燥する穀物乾燥機において、被乾燥穀物層を通過して排風口から排出される排風には、藁屑、穀物の殻、穎、毛茸、泥あるいは埃などの塵埃が多く含まれている。また、穀物乾燥機には、被乾燥穀物に混入している塵埃を除去する排塵機を付設することもあるが、この排塵機の排塵口からも排風にともなって多くの細塵が排出される。
【０００３】
このため、穀物乾燥機の排風口または付設した排塵機の排風口から排出される排風中の塵埃を除去する集塵装置が種々開発されているが、排出される排風を霧膜を通して塵埃を除去する穀物乾燥機用集塵装置は、特開２００２−２７３１４０公報に、乾燥機からの排風を下向きに導入して水飛沫層を通して塵埃を除去する穀物乾燥機用集塵装置は、特開２００３−６５６７６公報に、排風ダクトの排風を貯水タンクの水面に吹き付けて塵埃を除去する装置は、特開平８−１９２０２０号公報、特開平７−１９８２５９号公報、特開平６−１４２４２８号公報、特開平６−１４２４２７号公報および実開平７−３９９１６号公報にそれぞれ紹介されている。
【０００４】
【特許文献１】特開２００２−２７３１４０公報
【特許文献２】特開２００３−６５６７６公報
【特許文献３】特開平８−１９２０２０号公報
【特許文献４】特開平７−１９８２５９号公報
【特許文献５】特開平６−１４２４２８号公報
【特許文献６】特開平６−１４２４２７号公報
【特許文献７】実開平７−３９９１６号公報
【発明の開示】
【発明が解決しようとする課題】
【０００５】
この種の集塵装置や塵埃除去装置は、排風から分離した塵埃を貯水槽内の水中に堆積させるものであるから、作業終了後または作業中の適時に貯水槽の水を抜いたうえ堆積している塵埃を取り除く必要があるが、従来の装置では、何れも貯水槽の上に他の構成体が配置されていて、それらが一体構造となっているので、貯水槽からの排水はともかく、堆積した塵埃を取り除く作業が容易でないのが実情である。
【０００６】
そこで本発明は、このような問題点を解消しようとするものであって、穀物調製機から排風を導入して集塵貯水槽へ向けて流動させる風路をなすとともにその風路の途中に除塵のための水膜形成構造を備えた導風部の下段に集塵貯水槽を設けて、その集塵貯水槽を上段の導風部に対して挿入装着し、かつ引き出し移動自在の可動構造とすることにより、集塵貯水槽内に堆積した塵埃を取り除くにあたっては、集塵貯水槽を導風部から引き出して作業のしやすい場所に移して、集塵貯水槽内の排水と堆積している塵埃を取り除く作業を容易に行うことができる穀物調製機用集塵装置を提供することを目的とするものである。
【課題を解決するための手段】
【０００７】
上記目的を達成するため本発明は請求項１ないし４に係る穀物調製機用集塵装置を提供する。すなわち、請求項１に係る穀物調製機用集塵装置は、穀物調製機の排風口または排塵機の排塵口に接続して、排出される排風中の塵埃を分離して収集する集塵装置であって、上段に設けた導風部と、その下段に設けた集塵貯水槽とで構成され、上段の導風部は、穀物調製機から排風を導入して集塵貯水槽へ向けて流動させる風路をなしていて、その風路の途中には下段に配置した集塵貯水槽から汲み上げた水により集塵貯水槽との間を遮断する水膜形成構造を備えており、集塵貯水槽は、上段の導風部に対して挿入装着し、かつ引き出し移動自在の可動構造であることを特徴とするものである。
【０００８】
請求項２に係る穀物調製機用集塵装置は、請求項１の構成において、集塵貯水槽は、その底部に台車を、かつ一端側に手押しハンドルを備えた手押し移動構造をなしており、集塵貯水槽内に備える水中ポンプを手押しハンドル側に寄せて搭載し、その水中ポンプと水膜形成構造の水噴射ノズルとを接続する中継ホースの接続口および集塵貯水槽に接続する給水ホースの接続口を手押しハンドル側に設けてあることを特徴とするものである。
【０００９】
請求項３に係る穀物調製機用集塵装置は、請求項１または請求項２の構成において、集塵貯水槽は、手押しハンドル側を起点として先端側を高く傾ける傾斜操作構造を備えており、集塵貯水槽からの排水時に残水を水中ポンプ側に集中させることができることを特徴とするものである。
【００１０】
請求項４に係る穀物調製機用集塵装置は、請求項３の構成において、傾斜操作構造は、集塵貯水槽の手押しハンドル側に備えたペダルを踏むと集塵貯水槽の先端側が押し上げられるように構成されていることを特徴とするものである。
【発明の効果】
【００１１】
本発明に係る穀物調製機用集塵装置によれば、穀物調製機から排風を導入して集塵貯水槽へ向けて流動させる風路をなすとともにその風路の途中に除塵のための水膜形成構造を備えた導風部の下段に集塵貯水槽を設けて、その集塵貯水槽を上段の導風部に対して挿入装着し、かつ引き出し移動自在の可動構造とすることにより、集塵貯水槽内に堆積した塵埃を取り除くにあたっては、集塵貯水槽を導風部から引き出して作業のしやすい場所に移して、集塵貯水槽内の排水と堆積している塵埃を取り除く作業を容易に行うことができる効果が得られる。
【発明を実施するための最良の形態】
【００１２】
図１は本発明の一実施の形態に係る穀物調製機用集塵装置を一部破断して示す全体斜視図、図２は同上縦断正面図、図３は同上一部を破断して示す側面図、図４（Ａ）、（Ｂ）は同上集塵貯水槽の挿入装着、引き出し構成を示す説明図、図５（Ａ）、（Ｂ）は同上集塵貯水槽の挿入装着態様および引き出し態様を示す側面図、図６は集塵貯水槽からの排水態様を示す側面図である。図７は本発明の他の実施の形態に係る穀物調製機用集塵装置を一部破断して示す全体斜視図、図８（Ａ）、（Ｂ）は同上集塵貯水槽からの排水態様を示す側面図である。
【００１３】
図１ないし図３において、１は穀物調製機用集塵装置である。穀物調製機は例えば穀物乾燥機である。穀物調製機用集塵装置１は、上段に設けた導風部２と、その下段に設けた集塵貯水槽３とで構成され、上段の導風部２は、穀物調製機から排風を導入して集塵貯水槽へ向けて流動させる風路４をなしていて、その風路４の途中には集塵貯水槽３との間を一部遮断するように水膜形成板（円形または四角形）５が水平に設けられており、水膜形成板５には水噴射ノズル６が近接対向してあって、下段に配置した集塵貯水槽３から汲み上げた水を水噴射ノズル６から噴射して集塵貯水槽３との間を遮断する水膜形成構造をなしている。集塵貯水槽３は、その底部に台車７を備えていて、上段の導風部２に対して挿入装着し、かつ引き出し移動自在の可動構造となっている。８は排風口、９は内圧調整口であって、除塵フィルターを備えている。導風部２の集塵貯水槽３に向けて開口している風路４の下端には可撓性垂れ風路１０を取り付けて下方への風路延長部１１を形成している。１２は導入ダクトであって、穀物乾燥機などの穀物調製機の排風口または排塵機の排塵口にダクトを介して接続する。
【００１４】
集塵貯水槽３はその台車７に移動車輪１３を備えていて移動自在であり、かつ一端側に手押しハンドル１４を備えていて手押し移動構造をなしている。集塵貯水槽３内には、その手押しハンドル１４側に寄せて水中ポンプ１５を搭載しており、この水中ポンプ１５と前記水噴射ノズル６とは中継ホース１６により接続されていて、中継ホース１６の接続口１７にはカプラ１８を介して中継ホース１６が着脱自在となっている。また、集塵貯水槽３には給水ホース１９を接続して給水するようになっており、給水ホース１９の接続口２０にはカプラ２１を介して給水ホース１９が着脱自在となっている。上記中継ホース１６の接続口１７および給水ホース１９の接続口２０は手押しハンドル１４側に設けてあって、中継ホース１６および給水ホース１９はいずれも手押しハンドル１４側で着脱できるようになっている。給水ホース１９の接続口２０には浮子式自動開閉弁２２を備えている。
【００１５】
集塵貯水槽３は前記のように手押しハンドル１４を握って移動させながら図４（Ａ）に示すように導風部２の下に挿入するが、台車７の先端部は前方のガイドフレーム２５に倣って、また後端部はガイドプレート３１に倣って挿入されるに従い集塵貯水槽３が導風部２に対して定位置で停止するようになっている。更にロック爪２３が導風部２の支柱２４に係止するとともに先端部はガイドフレーム２５に押さえられて最終的には図４（Ｂ）に示すように固定状態に装着される。
なお、図４（Ｂ）に示すようにロック爪２３のロック解除レバー２６を手前に引くとその係止状態が解除されるので、集塵貯水槽３を導風部２から引き出すことができる。
【００１６】
穀物調製機用集塵装置１を使用するには、集塵貯留槽１の接続口２０に給水ホース１９を接続して給水して所定の水位まで貯水する。そして、水中ポンプ１５を駆動して集塵貯留槽３内の水を中継ホース１６を経て水噴射ノズル６から水膜形成板５の上面に噴射して集塵貯水槽３へ通じる風路４を水膜により遮断する状態とする。集塵貯水槽３内の水は水中ポンプ１５により循環して繰り返し使用される。
【００１７】
このようにして、導入ダクト１２に穀物調製機からの排風が導風部２に導入されると、排風に混入している塵埃は水膜との撹拌混合作用により分離され、水膜を形成する水とともに集塵貯水槽３内に落下して堆積される。
【００１８】
このため、作業終了後または作業中の適時においても塵埃の堆積量によっては、集塵貯水槽３内の塵埃を除去しなければならないので、その際には先ず図５（Ａ）に示すように中継ホース１６を接続口１７からはずして手押しハンドル１４に掛け、給水ホース１９も接続口２０からはずす。本発明に係る穀物調製機用集塵装置１においては、水中ポンプ１５を集塵貯水槽３の手押しハンドル１４側に寄せて搭載してあって中継ホース１６の接続口１７が手押しハンドル１４側に位置しており、給水ホース１９の接続口２０も手押しハンドル１４側に設けてあるので、中継ホース１６および給水ホース１９を外したり、また接続するのに全て手元作業として便利に行うことができる。
【００１９】
中継ホース１６および給水ホース１９をはずした状態にすると集塵貯水槽３は図５（Ｂ）に示すように導風部２から引き出して移動できるので、集塵貯水槽３を適宜の場所まで移動し、集塵貯水槽３に残留している水を抜くため、図６に示すように中継ホース１６を下げるか、またそれに必要に応じ排水用延長ホース２７を接続し、水中ポンプ１５を駆動して排水を行う。そして、集塵貯水槽３内に堆積している塵埃を先端の平らなシャベルなどで掬ったり掻き出して除去する。塵埃を除去した後は集塵貯水槽３を導風部２まで移動して挿入装着し、中継ホース１６を接続口１７に、給水ホース１９を接続口２０に接続する。
【００２０】
なお、給水ホース１９の接続口２０を導風部２に設けて、導風部２側から集塵貯水槽３へ注水により給水するように構成すれば、集塵貯水槽３の移動時に給水ホース１９をはずす必要はないが、この構成については図示を省略する。
【００２１】
また、図７および図８に示す実施の形態にあっては、集塵貯水槽３の台車７に手押しハンドル１４側を起点として先端側を高く傾ける傾斜操作構造を備えている。すなわち、集塵貯水槽３の手押しハンドル１４側に備えたペダル２８にプッシュロッド２９によって連動している押し上げローラ３０により、ペダル２８を踏むと図８（Ａ）の状態から（Ｂ）に示すように集塵貯水槽３の先端側が押し上げられて手押しハンドル１４側に傾くので、集塵貯水槽３からの排水時に残水を水中ポンプ１５側に集中させることができ、排水をより完全に行うことができて、その後の塵埃除去に好都合である。
【図面の簡単な説明】
【００２２】
【図１】本発明の一実施の形態に係る穀物調製機用集塵装置を一部破断して示す全体斜視図である。
【図２】同上縦断正面図である。
【図３】同上一部を破断して示す側面図である。
【図４】（Ａ）、（Ｂ）は同上集塵貯水槽の挿入装着、引き出し構成を示す説明図である。
【図５】（Ａ）、（Ｂ）は同上集塵貯水槽の挿入装着態様および引き出し態様を示す側面図である。
【図６】集塵貯水槽からの排水態様を示す側面図である。
【図７】本発明の他の実施の形態に係る穀物調製機用集塵装置を一部破断して示す全体斜視図である。
【図８】（Ａ）、（Ｂ）は同上集塵貯水槽からの排水態様を示す側面図である。
【符号の説明】
【００２３】
１  穀物調製機用集塵装置
２  導風部
３  集塵貯水槽
４  風路
５  水膜形成板
６  水噴射ノズル
７  台車
８  排風口
９  内圧調整口
１０  可撓性垂れ風路
１１  風路延長部
１２  導入ダクト
１３  移動車輪
１４  手押しハンドル
１５  水中ポンプ
１６  中継ホース
１７  接続口
１８  カプラ
１９  給水ホース
２０  接続口
２１  カプラ
２２  浮子式自動開閉弁
２３  ロック爪
２４  支柱
２５  ガイドフレーム
２６  ロック解除レバー
２７  延長ホース
２８  ペダル
２９  プッシュロッド
３０  押し上げローラ
３１  ガイドプレート
【図１】
2007057125.tif 000003
【図２】
2007057125.tif 000004
【図３】
2007057125.tif 000005
【図４】
2007057125.tif 000006
【図５】
2007057125.tif 000007
【図６】
2007057125.tif 000008
【図７】
2007057125.tif 000009
【図８】
2007057125.tif 000010